(57)【特許請求の範囲】
【請求項１】
機前面側に設けられ、前後に開口する窓部を開設した枠部材と、前記枠部材の裏側に配設されて前記窓部に臨む透明部材と、前記窓部に臨ませた状態で前記透明部材を支持する支持部材とを備える遊技機であって、
前記枠部材は、その裏面に金属製ベース部材を有し、
前記透明部材は、少なくとも下端部に第１係合部を備え、
前記支持部材は、前記ベース部材に後方に突出するよう固定される支持板金と、前記支持板金に一体形成されて前記透明部材の第１係合部と係脱自在に係合し得る第２係合部と、前記支持板金に配設され、前記透明部材の下端部が載置される合成樹脂製の保護カバーとから構成され、
前記保護カバーは、前記透明部材の下端部の外郭形状に整合するよう形成された被覆面と、該被覆面における前記第２係合部に対応する位置に形成され、該第２係合部を前記窓部側に露出させる切欠部とを備え、
前記被覆面は、前記支持板金の上面を覆って該支持板金に支持されると共に、前記透明部材が載置され、
前記透明部材の下端部における水平方向に延在する水平下端部の左右側部に、外方へ向かうにつれて上方に傾斜する傾斜部が形成され、
前記保護カバーの被覆面は、前記透明部材の水平下端部に当接すると共に前記切欠部が形成された第１被覆面と、該透明部材の傾斜部に当接する第２被覆面とから構成され、
前記支持板金は、水平方向に延在して前記第１被覆面に覆われた状態で該第１被覆面を支持する支持片と、該支持片の左右端部に連設されて外方に向かうにつれて上方に傾斜すると共に前記第２被覆面に覆われた状態で該第２被覆面を支持する傾斜支持片とを備え、
前記透明部材を前記保護カバーに載置した際に、該保護カバーの第２被覆面に沿って該透明部材の傾斜部を案内することにより、前記第１係合部が前記切欠部に臨む第２係合部に係合するようにした
ことを特徴とする遊技機。
【請求項２】
前記第１係合部は、前記透明部材の下端部に沿って延設される凹部であり、前記第２係合部は、上方に突出して前記凹部に挿入される突出片であり、該透明部材は、その外郭形状が上下対称および点対称となるよう形成されると共に、該透明部材の上端部に該突出片と係脱可能な第３係合部としての凹部が形成されている請求項１記載の遊技機。
【請求項３】
前記凹部の前後方向の幅寸法は、突出片に対して透明部材を後方向に傾斜させた状態で該突出片を挿入し得るよう突出片の前後方向の厚み寸法より大きく設定されると共に、後方向に傾斜させた透明部材の下部を突出片の後方に位置する前記保護カバーで支持するよう構成した請求項２記載の遊技機。
【請求項４】
前記透明部材の左右の下部に固定板が設けられると共に、前記保護カバーの左右の端部に、該固定板が当接する当接片と、該固定板を当接片との間に挟持して透明部材を固定する固定手段とが設けられた請求項１〜３の何れか一項に記載の遊技機。
【発明の詳細な説明】
【技術分野】
【０００１】
本発明は、枠部材に形成した支持部材に支持した透明部材を、該枠部材に開設した窓部に臨むよう構成した遊技機に関するものである。
【背景技術】
【０００２】
代表的な遊技機であるパチンコ機は、外郭をなす外枠に対し、着脱および開閉可能に中枠が組付けられると共に、該中枠に形成した遊技盤保持部に、所要の遊技領域を画成した遊技盤が保持されている。前記遊技盤には、図柄を変動表示し得る図柄表示装置や、該図柄表示装置の変動開始条件としての始動入賞具が配設されて、前記遊技領域に打ち出されたパチンコ球が前記始動入賞具に入球することにより、図柄表示装置の図柄を変動表示して所要の遊技演出を行なうよう構成される。また、前記中枠の前面側には、前記遊技盤と対応する位置に窓部を開設した前枠(本願では枠部材)が開閉可能に枢支されており、前枠の裏側に、窓部に臨むようガラスユニット(本願では透明部材)を取り付けることで、遊技盤の遊技領域をパチンコ機の前側から視認し得るようになっている。
【０００３】
ところで、前記前枠とガラスユニットは、遊技店において組付けられるのが一般的である。ここで、前記ガラスユニットは、複数枚(一般的には２枚)のガラス板を合成樹脂製の支持枠で一体的に組付けるよう構成されるため、該ガラスユニットの重量が大きくなり、ガラスユニットの前枠への取付作業を１人の作業者が行なうことは困難となる。そこで、例えば特許文献１には、前記前枠の裏側にガラスユニットを仮止め支持する係止部を形成し、該係止部にガラスユニットを仮止めすることで、ガラスユニットの取付作業効率の向上を図る技術が開示されている。
【特許文献１】特開２００５−１２７０７２号公報
【発明の開示】
【発明が解決しようとする課題】
【０００４】
しかしながら、前述したように、前記ガラスユニットは重量物となることから、前記前枠に単に合成樹脂により係止部を形成しただけでは、長期間使用した場合に、ガラスユニットの重量により係止部に曲がりによる変形や劣化等を来たす虞があり、作業者に無用の注意負担を負わせることとなる。また、前記係止部に一旦損傷を来たすと、作業者がガラスユニットを支持する必要があり、作業性の低下を招来する問題を招く。一方、前記係止部を金属材で形成すれば、ガラスユニットの重量により係止部が損傷するのを抑制することは可能となる。しかしながら、このように係止部を金属で形成した場合は、金属製の係止部が、合成樹脂製のガラスユニットの支持枠に接触して、該ガラスユニットに疵が生ずる欠点がある。
【０００５】
そこで、本発明は、枠部材の支持部材に透明部材を安定かつ確実に支持し得ると共に、支持部材に支持した透明部材が疵付くのを防止し得る遊技機を提供することを目的とする。
【課題を解決するための手段】
【０００６】
前記課題を克服し、所期の目的を好適に達成するため、本願の請求項１に係る遊技機は、
機前面側に設けられ、前後に開口する窓部(28a)を開設した枠部材(13)と、前記枠部材(13)の裏側に配設されて前記窓部(28a)に臨む透明部材(20)と、前記窓部(28a)に臨ませた状態で前記透明部材(20)を支持する支持部材(35)とを備える遊技機であって、
前記枠部材(13)は、その裏面に金属製ベース部材(29)を有し、
前記透明部材(20)は、少なくとも下端部(23)に第１係合部(23a)を備え、
前記支持部材(35)は、前記ベース部材(29)に後方に突出するよう固定される支持板金(36)と、前記支持板金(36)に一体形成されて前記透明部材(20)の第１係合部(23a)と係脱自在に係合し得る第２係合部(40)と、前記支持板金(36)に配設され、前記透明部材(20)の下端部(23)が載置される合成樹脂製の保護カバー(42)とから構成され、
前記保護カバー(42)は、前記透明部材(20)の下端部(23)の外郭形状に整合するよう形成された被覆面(43,44)と、該被覆面(43,44)における前記第２係合部(40)に対応する位置に形成され、該第２係合部(40)を前記窓部(28a)側に露出させる切欠部(43a)とを備え、
前記被覆面(43,44)は、前記支持板金(36)の上面を覆って該支持板金(36)に支持されると共に、前記透明部材(20)が載置され、
前記透明部材(20)の下端部における水平方向に延在する水平下端部(23)の左右側部に、外方へ向かうにつれて上方に傾斜する傾斜部(24,24)が形成され、
前記保護カバー(42)の被覆面は、前記透明部材(20)の水平下端部(23)に当接すると共に前記切欠部(43a)が形成された第１被覆面(43)と、該透明部材(20)の傾斜部(24,24)に当接する第２被覆面(44,44)とから構成され、
前記支持板金(36)は、水平方向に延在して前記第１被覆面(43)に覆われた状態で該第１被覆面(43)を支持する支持片(37)と、該支持片(37)の左右端部に連設されて外方に向かうにつれて上方に傾斜すると共に前記第２被覆面(44,44)に覆われた状態で該第２被覆面(44,44)を支持する傾斜支持片(38,38)とを備え、
前記透明部材(20)を前記保護カバー(42)に載置した際に、該保護カバー(42)の第２被覆面(44,44)に沿って該透明部材(20)の傾斜部(24,24)を案内することにより、前記第１係合部(23a)が前記切欠部(43a)に臨む第２係合部(40)に係合するようにしたことを特徴とする。
【０００７】
このように、支持部材を構成する支持板金を枠部材の裏面に設けた金属製のベース部材に固定するようにしたことで、該支持板金を合成樹脂製部材に固定する場合に較べて支持板金とベース部材とを強固に固定でき、透明部材を支持する支持部材の耐荷重性を向上し得る。従って、重量が嵩む透明部材を支持する支持部材が変形するのを防止できる。また、透明部材を支持する支持部材を、支持板金と、合成樹脂製の保護カバーとから構成したことで、該支持部材の全体を金属製とした場合に較べて軽量化を図り得る利点がある。更に、透明部材の下端に第１係合部を形成すると共に、前記支持板金に第２係合部を形成したことで、透明部材を枠部材に取り付けるに際し、該第１係合部と第２係合部とを係合させれば透明部材を所定位置に保持して脱落防止し得るから、当該透明部材の取付作業性の向上を図り得る。
【０００８】
また、前記支持部材として、前記支持板金における透明部材を支持する面を覆う保護カバーを設けたことで、透明部材が疵付くのを抑制することができる。このとき、前記支持板金の第２係合部を前記窓部側に臨むようにしたから、前記透明部材の第１係合部と第２係合部との係脱を阻害することはない。そして、金属製ベース部材を設けることで、合成樹脂製部材により枠部材の剛性を同程度にした場合と較べ、枠部材全体の薄型化および軽量化に寄与し得る利点がある。また、保護カバーの被覆面を支持板金が支持するので、保護カバーに変形等の不具合が生ずることはない。更に、保護カバーに切欠部を形成して、支持板金に保護カバーを配設した状態で第２係合部を窓部側に露出するよう構成したから、第１係合部および第２係合部の係脱を保護カバーが阻害することはない。
前記支持部材の保護カバーに形成した第２被覆面に沿って前記透明部材に形成した傾斜部を案内することで、前記第１係合部と第２係合部とが係合するよう構成したから、第１係合部と第２係合部とを正確に位置合わせすることなく両係合部を係合させることができ、前記透明部材の脱落防止を簡単に行ない得る。また、前記第１係合部と第２係合部とを係合させた際には、前記第２被覆面が透明部材の傾斜部に当接して透明部材の左右方向の位置規制を行ない得る。また、保護カバーの第１被覆面および第２被覆面を、夫々、支持板金の支持片および傾斜支持片で支持する構成としたので、保護カバーを支持板金で確実かつ強固に支持することができる。
【００１１】
請求項２に係る発明は、前記第１係合部は、前記透明部材(20)の下端部(23)に沿って延設される凹部(23a)であり、前記第２係合部は、上方に突出して前記凹部(23a)に挿入される突出片(40)であり、該透明部材(20)は、その外郭形状が上下対称および点対称となるよう形成されると共に、該透明部材(20)の上端部(25)に該突出片(40)と係脱可能な第３係合部としての凹部(25a)が形成されている。
【００１２】
このように、前記第１係合部として、前記透明部材の下端部に沿って凹部を延設し、前記第２係合部として、上方に突出する突出片を形成することで、前記透明部材の脱落防止を確実に行なうことができる。また、透明部材に第１係合部として凹部を形成することで、該透明部材に第１係合部として突部を形成すると共に支持部材に第２係合部として凹部を設ける場合に較べて、保管時や輸送時等に第１係合部が損傷するのを抑制し得る。また、透明部材の外郭形状を上下対称および点対称となるよう形成すると共に、透明部材の上端部に第３係合部としての凹部を形成したので、透明部材が上下反対向きの姿勢であっても支持部材に支持することができ、作業性の向上および作業時間の短縮を図り得る。
【００１３】
請求項３に係る発明は、前記凹部(23a,25a)の前後方向の幅寸法は、突出片(40)に対して透明部材(20)を後方向に傾斜させた状態で該突出片(40)を挿入し得るよう突出片(40)の前後方向の厚み寸法より大きく設定されると共に、後方向に傾斜させた透明部材(20)の下部を突出片(40)の後方に位置する前記保護カバー(42)で支持するよう構成した。
請求項４に係る発明は、前記透明部材(20)の左右の下部に固定板(27,27)が設けられると共に、前記保護カバー(42)の左右の端部に、該固定板(27,27)が当接する当接片(46,46)と、該固定板(27,27)を当接片(46,46)との間に挟持して透明部材(20)を固定する固定手段(47,47)とが設けられた。
【００１４】
このように、前記凹部の前後方向の幅寸法を、前記突出片に対して透明部材を前後方向に傾斜させた状態で挿入し得る寸法に設定したことで、前記突出片を凹部に容易に挿入して係合させることができる。また、透明部材を固定する固定手段を保護カバーに設けることで、該固定手段が長期間の使用により劣化等した場合には保護カバーのみを交換することで対応でき、廃棄物の低減を図り得る。
【発明の効果】
【００１５】
本発明に係る遊技機によれば、枠部材の支持部材に透明部材を安定かつ確実に支持し得ると共に、支持部材に支持した透明部材が疵付くのを防止し得る。
【発明を実施するための最良の形態】
【００１６】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図１に示すようにパチンコ機を正面から見た状態において指称するものとする。
【実施例】
【００１７】
実施例に係るパチンコ機１０は、図１に示すように、矩形枠状に形成されて外郭をなす外枠１１の開口前面側に、遊技盤１７を保持した中枠１２が開閉可能に組付けられる。この中枠１２の前面側には、前記遊技盤１７を透視保護するガラスユニット(透明部材)２０を設けた前枠(枠部材)１３が開閉可能に組付けられると共に、該前枠１３の下方にパチンコ球を貯留する下球皿１４を開閉可能に組付けるよう構成される。なお、前記前枠１３の下部位置には、パチンコ球を貯留する上球皿１５が一体的に設けられており、前枠１３の開閉に合わせて上球皿１５も開閉するよう構成されている。また、前記中枠１２における下球皿１４の右側には、回動操作することで前記上球皿１５に貯留したパチンコ球を前記遊技盤１７の盤面に向けて打ち出させるハンドル部材１６が配設されており、該ハンドル部材１６を回動操作することにより所要の遊技を行ない得るようになっている。
【００１８】
実施例に係る前枠１３は、所要の意匠形状に形成されてパチンコ機１０の前面を装飾する合成樹脂製の本体枠２８と、該本体枠２８の裏面側に配設される補強用の金属製ベース部材２９(図２等参照)とから構成されて、該ベース部材２９の裏側に、前記ガラスユニット２０を配置するようになっている。なお、前記本体枠２８には、前記遊技盤１７に対応する位置に前後に開口する窓部２８ａ(図１参照)が開設されており、該窓部２８ａの下方に前側に膨出するよう前記上球皿１５を一体形成してある。
【００１９】
ここで、前記ガラスユニット２０は、前後方向に所要間隔だけ離間させた２枚のガラス板２１,２１の外周部を保持枠２２で保持して、単一部材として取扱い得るよう構成される(図５または図７参照)。なお、前記ガラスユニット２０は、図５に示すように、その上縁および下縁が略水平方向に延在し、かつ左右両側縁が略鉛直方向に延在するよう形成されている。また、ガラスユニット２０の下端部における左右側部は、外方へ向かうにつれて上方に傾斜するよう形成されると共に、該ガラスユニット２０の上端部における左右側部は、外方へ向かうにつれて下方に傾斜するよう形成される。なお、以下の説明において、前記ガラスユニット２０における水平方向に延在する下端部を水平下端部(下端部)２３と指称し、該水平下端部２３に対して傾斜する左右の端部を傾斜下端部(傾斜部)２４と指称すると共に、該ガラスユニット２０における水平方向に延在する上端部を水平上端部(上端部)２５と指称し、該水平上端部２５に対して傾斜する左右の端部を傾斜上端部(傾斜部)２６と指称するものとする。ここで、前記水平下端部２３に対する傾斜下端部２４の傾斜角度と、前記水平上端部２５に対する傾斜上端部２６の傾斜角度は略同一になるよう設定される。
【００２０】
また、前記水平下端部２３には、図５または図７に示すように、下方に開口する第１凹部(第１係合部)２３ａを左右方向の所定長さに亘って凹設すると共に、前記水平上端部２５には、該第１凹部２３ａと対称となる位置および大きさで、上方に開口する第２凹部(第３係合部)２５ａを凹設してある。更に、前記傾斜下端部２４,２４および傾斜上端部２６,２６には、外方に突出する固定板２７が夫々形成されている。すなわち、実施例のガラスユニット２０は、図５に示す正面視において、上下対称かつ点対称の略八角形を呈するよう形成してある。
【００２１】
前記ベース部材２９は、前記本体枠２８に略整合する大きさに形成された平板状部材であって、本体枠２８に対して裏側からネジ止め固定することで本体枠２８を補強している。前記ベース部材２９には、前記本体枠２８の窓部２８ａに対応する位置に、該窓部２８ａに略整合する開口部２９ａ(図３参照)が開設されており、パチンコ機１０の前側から遊技盤１７を目視し得るよう構成される。そして、前記ベース部材２９の裏面側における前記開口部２９ａの下方位置に、図２〜図４に示すように、前記ガラスユニット２０の下部側を支持する第１支持部材(支持部材)３５を配設すると共に、該開口部２９ａの上方位置に、ガラスユニット２０の上部側を固定する第２支持部材５０,５０を配設してある。なお、前記ベース部材２９における前記開口部２９ａの開口端縁や上下の端縁には、前方に突出するリブ２９ｂが設けられており、ベース部材２９の剛性を向上させている。
【００２２】
また、前記ベース部材２９の左上端部(図３においては右上端部)には、前方に突出する上支持受部３０,３０が上下に離間する位置に形成されており、該上支持受部３０,３０に上下方向に移動可能な支持ピン３１を設けてある。前記支持ピン３１は、バネ等の付勢手段(図示せず)の付勢力により常には上側の上支持受部３０から上方に突出するよう構成され、前記中枠１２の左上端部に設けた上部連結金具１２ａ(図１参照)の軸孔(図示せず)に挿入される。また、前記ベース部材２９の左下端部(図３においては右下端部)には、前方へ突出する下支持受部３２が形成されて、該下支持受部３２に上下に貫通する軸孔３３を穿設してある。前記下支持受部３２の軸孔３３には、前記中枠１２の左下部位置に形成した下部連結金具１２ｂ(図１参照)の支軸(図示せず)を挿通するようになっている。すなわち、前記支持ピン３１を前記上部連結金具１２ａの軸孔に挿入すると共に、前記下支持受部３２の軸孔３３に下部連結金具１２ｂの支軸を挿入することで、前枠１３が開閉し得るよう組付けられる。なお、前記ベース部材２９の裏面側における右縁部(図３においては左縁部)には、Ｌ字状の施錠金具３４が配設されており、該施錠金具３４に形成した施錠片３４ａに、中枠１２に設けた施錠手段１８(図１参照)の係合フック(図示せず)が係合することで、前枠１３を閉成状態で保持し得るようになっている。
【００２３】
ここで、前記第１支持部材３５は、前記ベース部材２９に固定される支持板金３６と、該支持板金３６に配設される合成樹脂製の保護カバー４２とから構成される。前記支持板金３６は、左右方向に略水平に延在して前記ガラスユニット２０の水平下端部２３に対向する支持片３７と、該支持片３７の左右端部に連接されて支持片３７から離間するにつれて上方傾斜し、ガラスユニット２０の傾斜下端部２４,２４に対向する左右の傾斜支持片(傾斜支持部)３８,３８と、該支持片３７および左右の傾斜支持片３８,３８の前端部から垂下し、前記ベース部材２９の裏面側に固定される固定片３９,３９,３９(図４参照)とが一体的に折曲形成されている。実施例では、前記各固定片３９の複数箇所に通孔３９ａを穿設して、該通孔３９ａの一部を前記ベース部材２９に穿設した通孔２９ｃに整列させて、リベット(図示せず)等の固定部材により固定片３９とベース部材２９とを着脱不能に固定するようになっている。
【００２４】
前記支持片３７の後端部には、図３,図４または図６に示すように、所定範囲に亘って上方へ向けて突出する突出片(第２係合部)４０を折曲形成してある。なお、前記突出片４０は、前記ガラスユニット２０の水平下端部２３を第１支持部材３５で支持した際に、該ガラスユニット２０に形成した第１凹部２３ａに挿入し得る位置・大きさに形成される。すなわち、前記突出片４０を前記第１凹部２３ａに挿入することで、前記ガラスユニット２０の前後方向への移動を規制し得るようになっている。ここで、前記第１凹部２３ａの前後方向の開口寸法は、前記突出片４０の厚み寸法と較べて大きく設定されて、前記ガラスユニット２０をベース部材２９に対して後方に所要の傾斜角度θ(例えばθ≦２０°)だけ傾斜させた状態で、突出片４０を第１凹部２３ａに完全に挿入し得るよう構成される。なお、図８に示すように、前記ベース部材２９に対する傾斜角度θ＝２０°となるようガラスユニット２０を傾斜させた状態では、前記突出片４０が第１凹部２３ａに係合してガラスユニット２０の後方移動を規制し得るよう設定される。換言すれば、実施例では、前記突出片４０を第１凹部２３ａに挿入した状態では、ガラスユニット２０を傾斜角度θ≦２０°に保持することで、ガラスユニット２０の前後方向の移動規制を行ない得るよう構成してある。
【００２５】
前記保護カバー４２は、図６に示すように、前記支持板金３６に配設した際に前記支持片３７の上面を覆う第１被覆面４３と、前記傾斜支持片３８の上面を覆う第２被覆面(傾斜案内部)４４,４４とを備え、前記ガラスユニット２０を第１支持部材３５に載置した際に、該第１被覆面４３にガラスユニット２０の水平下端部２３が当接すると共に、該第２被覆面４４,４４にガラスユニット２０の傾斜下端部２４,２４が対応して当接するようになっている(図４参照)。なお、前記保護カバー４２は、前端部にネジ孔(図示せず)を有するボス４５が複数箇所(実施例では４箇所)に形成されており、該ボス４５に対応して穿設したベース部材２９の通孔２９ｃの前側から前記固定片３９の複数箇所に形成した通孔３９ａの一部を介して各ネジ孔にネジを螺挿することで、ベース部材２９に保護カバー４２を固定している。
【００２６】
また、前記第１被覆面４３には、前記支持片３７における前記突出片４０に対応する部位に切欠部４３ａが形成されて、前記支持板金３６に保護カバー４２を配設した際に、該突出片４０が切欠部４３ａに臨んで前記ベース部材２９の開口部２９ａ側に露出するようになっている。すなわち、前記保護カバー４２を支持板金３６に配設した状態で、前記突出片４０をガラスユニット２０の第１凹部２３ａに挿脱し得るよう構成される。また、前記第２被覆面４４,４４の第１被覆面４３に対する傾斜角度は、対応するガラスユニット２０の傾斜下端部２４,２４の水平下端部２３に対する傾斜角度に略合致するよう設定される。すなわち、前記保護カバー４２は、前記ガラスユニット２０の下部の外郭形状に略整合するよう形成されている。
【００２７】
また、前記保護カバー４２の左右端部には、図３または図７に示すように、前記ガラスユニット２０の傾斜下端部２４,２４に形成した固定板２７,２７が当接する第１当接片４６,４６が形成されると共に、該第１当接片４６,４６から離間する後方位置に第１の回転式固定具４７,４７(固定手段)が設けられている。そして、前記固定板２７を対応する第１当接片４６に当接させた状態で前記第１の回転式固定具４７を回転操作することにより、該固定板２７が第１当接片４６と第１の回転式固定具４７との間に挟持され、前記ガラスユニット２０の下部を固定するようになっている。なお、前記ガラスユニット２０の固定解除は、前記第１の回転式固定具４７を固定時とは反対方向に回転操作することにより行なわれる。
【００２８】
前記第２支持部材５０,５０は、前記第１支持部材３５に支持したガラスユニット２０の傾斜上端部２６,２６に対応するよう前記ベース部材２９に配置されて、第１支持部材３５と同様に、第２支持部材５０に形成したネジ孔(図示せず)に対してベース部材２９の前側からネジを螺挿して固定される。また、前記各第２支持部材５０には、前記ガラスユニット２０の対応する傾斜上端部２６に形成した固定板２７が当接する第２当接片(図示せず)が形成されると共に、該第２当接片から離間する後方位置に第２の回転式固定具５２が設けられている。すなわち、前述と同様、第２当接片に対応する固定板２７を当接させた状態で第２の回転式固定具５２を回転操作することにより、ガラスユニット２０の上部を固定し得ると共に(図２参照)、該第２の回転式固定具５２を反対方向に回転操作することで、ガラスユニット２０の固定を解除し得るようになっている。なお、前記ガラスユニット２０の傾斜下端部２４,２４および傾斜上端部２６,２６の固定板２７を回転式固定具４７,５２により挟持固定した際は、該ガラスユニット２０における保持枠２２の前面が前記ベース部材２９の裏面に当接するよう構成されている。
【００２９】
〔実施例の作用〕
次に、実施例に係るパチンコ機の作用につき説明する。
【００３０】
実施例に係るガラスユニット２０を前枠１３(ベース部材２９)に取り付けるに際しては、ガラスユニット２０の水平下端部２３をベース部材２９の裏面側に配設した第１支持部材３５の支持片３７に載置して、当該ガラスユニット２０の保持枠２２の前面をベース部材２９の裏面に当接させる。そしてこの状態で、前記第１支持部材３５の保護カバー４２に設けた第１の回転式固定具４７,４７を回転操作してガラスユニット２０の下部を固定すると共に、前記第２支持部材５０に設けた第２の回転式固定具５２,５２を回転操作してガラスユニット２０の上部を固定することで、当該ガラスユニット２０をベース部材２９の裏側に配設し得る。
【００３１】
ここで、実施例では、前記ガラスユニット２０を支持する第１支持部材３５を、金属製の支持板金３６と合成樹脂製の保護カバー４２とから構成して、該支持板金３６を金属製のベース部材２９に固定してあるから、第１支持部材３５の耐荷重性が向上する。すなわち、合成樹脂製の本体枠２８に支持板金３６を固定する構成や、金属製のベース部材２９に合成樹脂製の第１支持部材３５を固定する構成に較べて、金属製のベース部材２９と支持板金３６とを固定することで両部材２９,３６を強固に固定できるから、重量が嵩むガラスユニット２０を第１支持部材３５で支持した場合でも、該第１支持部材３５(すなわち支持板金３６や保護カバー４２)が変形するのを防止できる。なお、前記第１支持部材３５を、金属製の支持板金３６と、合成樹脂製の保護カバー４２とから構成したことで、該第１支持部材３５の全体を合成樹脂製とした場合に較べて軽量化を図り得る利点もある。
【００３２】
また、前記支持板金３６に保護カバー４２を配設し、該支持板金３６の支持片３７および傾斜支持片３８の上面を保護カバー４２の第１被覆面４３および第２被覆面４４で覆うよう構成してある。すなわち、前記ガラスユニット２０の保持枠２２は合成樹脂製であることから、該ガラスユニット２０を支持板金３６に直接当接させて支持するよう構成した場合には、該保持枠２２は疵付き易く、保持枠２２の劣化を早めて耐用年数の短期化を招来することも考えられる。そこで、実施例のように、前記ガラスユニット２０の保持枠２２を合成樹脂製の保護カバー４２に当接させることで、該ガラスユニット２０(保持枠２２)が疵付くのを抑制することができ、長期に亘ってガラスユニット２０を使用に供することが可能となる。この場合に、前記ガラスユニット２０が当接する前記保護カバー４２の第１被覆面４３および第２被覆面４４の夫々を、前記支持板金３６の支持片３７および傾斜支持片３８で支持しているから、該保護カバー４２に変形等の不具合が生ずることはない。
【００３３】
そして、前記ガラスユニット２０の水平下端部２３に第１凹部２３ａを形成すると共に、第１凹部２３ａに挿入して係合可能な突出片４０を前記支持板金３６に形成したことで、ガラスユニット２０を取り付けるに際し、該第１凹部２３ａに突出片４０が挿入係合して、ガラスユニット２０の前後方向への移動を規制し得る。すなわち、前記ガラスユニット２０を所定の取付位置に位置合わせするときに、該ガラスユニット２０が第１支持部材３５から脱落するのを防止でき、該ガラスユニット２０の取付作業性の向上を図り得る。また、前記突出片４０を支持板金３６に形成したことで、該突出片４０を第１凹部２３ａに挿入した状態でガラスユニット２０を前後方向に移動して突出片４０に負荷が掛かった場合であっても、樹脂製とした場合に較べて当該突出片４０が損傷するのを抑制できる。
【００３４】
なお、前記保護カバー４２の第１被覆面４３に、前記支持板金３６の突出片４０に対応する位置に切欠部４３ａを形成して、支持板金３６に保護カバー４２を取り付けた状態で突出片４０が本体枠２８の窓部２８ａ側に臨むよう構成したから、前記ガラスユニット２０の第１凹部２３ａと突出片４０との係脱を保護カバー４２が阻害することはない。なお、前記ガラスユニット２０に突部を形成すると共に第１支持部材３５に突部を挿入係合させ得る凹部を形成することによってもガラスユニット２０の脱落防止が可能であるが、組付作業等に際してガラスユニット２０を作業場の壁等に立掛けることもあり、その際に突部に損傷を来たす虞がある。これに対して、実施例のように、前記ガラスユニット２０に第１凹部２３ａを形成することで、前枠１３への組付け前にガラスユニット２０を作業場の壁等に立掛けた場合でも、該第１凹部２３ａが損傷することはなく、ガラスユニット２０の脱落防止を確実に図り得る利点がある。
【００３５】
また実施例では、前記ガラスユニット２０の下端部の外郭形状に略合致する形状に保護カバー４２を形成してある。すなわち、前記ガラスユニット２０に形成した傾斜下端部２４,２４に整合するよう前記保護カバー４２に第２被覆面４４を形成してあるから、該ガラスユニット２０の傾斜下端部２４,２４を、保護カバー４２の対応する第２被覆面４４に当接させれば、ガラスユニット２０の自重により第１凹部２３ａに突出片４０が挿入される位置へガラスユニット２０を移動させることができる。このように、前記ガラスユニット２０の第１凹部２３ａと、前記第１支持部材３５の突出片４０とを作業者が正確に位置合わせすることなく第１凹部２３ａに突出片４０を挿入させ得るから、ガラスユニット２０の脱落防止を簡単に行ない得ると共に、当該ガラスユニット２０の取付作業性をより一層向上させ得る。
【００３６】
ここで、前述のように、前記保護カバー４２の第２被覆面４４を、前記支持板金３６に形成した傾斜支持片３８で支持しているから、該第２被覆面４４にガラスユニット２０の荷重が掛かった場合でも変形や割れ等の不具合が生ずるのを防止できる。そして、前記ガラスユニット２０を第１支持部材３５に載置して突出片４０を第１凹部２３ａに挿入させた後は、前記傾斜下端部２４,２４と第２被覆面４４,４４とが当接することでガラスユニット２０の左右方向を位置規制でき、前記第１および第２の回転式固定具４７,５２による固定作業を容易に行ない得る利点がある。
【００３７】
また、ガラスユニット２０を第１支持部材３５に載置するに際して、作業者はガラスユニット２０をベース部材２９に対して所要角度(一般的には５°〜２０°程度)傾斜させて作業を行なうことが多い。このような場合でも、実施例のように前記第１凹部２３ａの前後方向の開口幅寸法を、前記ガラスユニット２０をベース部材２９に対して所要の傾斜角度θ(θ≦２０°)だけ傾斜させた状態で前記突出片４０を挿脱し得るように設定したから、ガラスユニット２０の取付作業性を向上し得る。更に、実施例では、前記ガラスユニット２０の傾斜角度θ≦２０°の状態では、前記第１凹部２３ａに挿入した突出片４０が第１凹部２３ａと係合するよう構成したから、一般的な取付作業においてガラスユニット２０が第１支持部材３５から脱落するのをより確実に防止することができる。
【００３８】
また、前記ガラスユニット２０を前記第１支持部材３５で支持すると共に位置決めして、該ガラスユニット２０をベース部材２９に当接させれば、ガラスユニット２０の各固定板２７が前記保護カバー４２(第１支持部材３５)の第１当接片４６および第２支持部材５０,５０の第２当接片に夫々対応的に当接する。この状態で、前記保護カバー４２に設けた第１の回転式固定具４７,４７と、第２支持部材５０,５０に設けた第２の回転式固定具５２とを回転操作することでガラスユニット２０を固定することができる。すなわち、前記ガラスユニット２０を前記第１支持部材３５で支持することで、ガラスユニット２０の固定作業を簡単に行なうことができる。
【００３９】
なお、前記ガラスユニット２０は、前記第１および第２の回転式固定具４７,５２を固定時とは反対方向に回転操作するだけで簡単に取り外すことができる。ここで、第１および第２の回転式固定具４７,５２による固定を解除したときは、前記第１支持部材３５でガラスユニット２０が支持されているから、該ガラスユニット２０の脱落を防止し得る。なお、前記第１の回転式固定具４７,４７を前記保護カバー４２に設けるようにしたことで、長期間の使用により第１の回転式固定具４７,４７が劣化等した場合には、保護カバー４２のみを交換することで対応できるから、前記第１支持部材３５を金属または合成樹脂製の単一部品で構成する場合に較べて廃棄物の低減を図り得る。
【００４０】
また、遊技盤１７を大型化して遊技演出の多様化を図る場合には、該遊技盤１７を前面側から視認し得るよう前枠１３(本体枠２８)の窓部２８ａを大きくする必要があり、該窓部２８ａに臨むガラスユニット２０も大型化して重量が大きくなる。一方、前記前枠１３(本体枠２８)における窓部２８ａの割合が大きくなることで前枠１３(本体枠２８)の剛性は低下するため、重量物となるガラスユニット２０を設けると前枠１３(本体枠２８)に変形等の不具合を生じ易くなる。そこで、実施例では、前記本体枠２８の裏面側に、該本体枠２８に略整合する大きさに形成した金属製のベース部材２９を配設するようにしたから、本体枠２８に開設する窓部２８ａの割合が大きくなった場合でも、当該本体枠２８に要求される剛性を確保することができる。
【００４１】
なお、前記本体枠２８自体の厚みを大きくしたり、本体枠２８に合成樹脂製の補強部材を別途配設したりすることでも該本体枠２８の剛性を向上させることはできるが、この場合には、当該本体枠２８の大型化や重量化を招来する問題が新たに生ずる。従って、実施例のように、合成樹脂材に較べてより高い剛性を発揮し得る金属製のベース部材２９を本体枠２８に設けることで、合成樹脂材により枠部材の剛性を同程度にする場合と較べて、枠部材の薄型化および軽量化に寄与し得る利点がある。
【００４２】
なお、実施例では、前記ガラスユニット２０の外郭形状を上下対称および点対称となるよう形成し、かつガラスユニット２０の水平上端部２５に、前記突出片４０を挿入して係合可能な第２凹部２５ａを形成したから、該ガラスユニット２０が上下反対向きの姿勢であっても前記第１支持部材３５に支持することができる。すなわち、作業者はガラスユニット２０の上下を正確に確認することなくガラスユニット２０の取付作業を行なうことができ、作業性の向上および作業時間の短縮を図り得る。この場合であっても、ガラスユニット２０の傾斜上端部２６が前記保護カバー４２の第２被覆面４４に略整合するから、ガラスユニット２０を通常の姿勢で取り付ける場合と同様の作用効果が得られる。
【００４３】
〔変更例〕
なお、遊技機の構成としては、実施例のものに限らず、種々の変更が可能である。例えば、実施例では、透明部材の下端部に沿って第１係合部として凹部を延設すると共に、支持部材(以下実施例における第１支持部材を云う)の支持板金に、第１係合部と係脱自在に係合する第２係合部として上方に突出する突出片を形成するようにしたが、透明部材の下端部に第１係合部として下方に突出する突部を形成し、支持部材に第２係合部として凹部を形成することもできる。但し、実施例のように、透明部材に第１係合部として凹部を形成することで、該透明部材に第１係合部として突部を形成する場合に較べて保管時や輸送時等に第１係合部が損傷するのを抑制し得る利点がある。
【００４４】
また実施例では、透明部材の下端部(水平下端部)の略全長に亘って第１係合部を形成すると共に、前記支持部材には該第１係合部に対応するよう第２係合部を形成したが、これに限定されるものではなく、第１係合部と第２係合部とが係合可能で、両係合部の係合により支持部材からの透明部材の脱落を防止し得るものであれば、任意の位置大きさに形成することができる。
【００４５】
また、前記透明部材の外郭形状は、実施例に示した形状に限定されるものではなく枠部材の窓部を覆い得る任意形状に形成することができ、前記支持部材の形状は、該透明部材に略整合し得るよう形成すれば、実施例と同様の作用効果を得ることができる。
【００４６】
なお、実施例では、前記透明部材の外郭形状を上下対称かつ点対称となるよう形成したが、上下対称あるいは点対称となるよう形成し、その上端部に前記支持部材の第２係合部と係脱可能な第３係合部を形成すれば、作業者が透明部材の上下の位置関係を気にすることなく作業を行なうことが可能である。また、透明部材を上下および左右対称となるよう形成し、左右の端部に支持部材の第２係合部と係脱可能な第４係合部を形成するよう構成した場合には、作業者が透明部材の上下および左右の位置関係を気にすることなく作業を行なうことが可能である。
【００４７】
また、実施例では、前記透明部材に形成した凹部の前後方向の幅寸法を、前記ベース部材に対する透明部材の傾斜角度が０〜２０°の場合に挿入し得るよう構成したが、その他の傾斜角度の場合でも挿入し得るよう構成することもできる。但し、前記凹部の前後方向の幅寸法をあまりに大きくしすぎると、透明部材の脱落防止機能を適正に発揮し得なくなることに留意する必要がある。
【００４８】
実施例では、前記支持部材の保護カバーに形成した傾斜案内部を直線的に延在させたが、円弧状に湾曲するよう形成してもよい。また、実施例では、保護カバーの傾斜案内部の下面を支持する傾斜支持部を支持板金に形成するようにしたが、該支持板金に傾斜支持部を必ずしも設ける必要はない。
【００４９】
実施例では、遊技機としてパチンコ機を例示して説明したが、これに限られるものではなく、機前面側に設けられ、前後に開口する窓部を開設した枠部材と、前記枠部材の裏側に配設されて前記窓部に臨む透明部材と、前記窓部に臨ませた状態で前記透明部材を支持する支持部材とを備える遊技機であれば、スロットマシン機やアレンジボール機等の従来公知の各種遊技機を採用し得る。
【図面の簡単な説明】
【００５１】
【図１】本発明の実施例に係るパチンコ機を示す正面図である。
【図２】実施例に係る前枠を本体枠を取り外した状態で示す背面図である。
【図３】実施例に係るベース部材、ガラスユニット、第１支持部材を背面から視た状態で示す分解斜視図である。
【図４】実施例に係る第１支持部材でガラスユニットを支持した状態を示す要部拡大図である。
【図５】実施例に係るガラスユニットを示す正面図である。
【図６】実施例に係る第１支持部材の分解斜視図である。
【図７】実施例に係る第１支持部材でガラスユニットを支持した状態を、ガラスユニットを縦断して示す要部拡大図である。
【図８】実施例に係る第１支持部材とガラスユニットとの関係を示す縦断側面図である。
【符号の説明】
【００５２】
１３ 前枠(枠部材)，２０ ガラスユニット(透明部材)，２３ 水平下端部(下端部)
２３ａ 第１凹部(第１係合部、凹部)，２４ 傾斜下端部(傾斜部)
２５ 水平上端部(上端部)，２５ａ 第２凹部(第３係合部、凹部)，２７ 固定板
２８ａ 窓部，２９ ベース部材，３５ 第１支持部材(支持部材)，３６ 支持板金
３７ 支持片，３８ 傾斜支持片，４０ 突出片(第２係合部)，４２ 保護カバー
４３ 第１被覆面(被覆面)，４３ａ 切欠部，４４ 第２被覆面(被覆面)
４６ 第１当接片(当接片)，４７ 第１の回転式固定具(固定手段)
【図１】
0004651494.tif 000002
【図２】
0004651494.tif 000003
【図３】
0004651494.tif 000004
【図４】
0004651494.tif 000005
【図５】
0004651494.tif 000006
【図６】
0004651494.tif 000007
【図７】
0004651494.tif 000008
【図８】
0004651494.tif 000009